(57)【要約】【課題】カラーブレイクアップを低減し、高品質な投写像を得ること。【解決手段】空間光変調装置の駆動方法であって、第１色光用サブフレームパルス信号Ｒ１〜Ｒ８、Ｂ１〜Ｂ８を生成する第１色光用サブフレームパルス信号生成工程と、第２色光用サブフレームパルス信号Ｇ１〜Ｇ８を生成する第２色光用サブフレームパルス信号生成工程と、画像の少なくとも１フレームの期間中において、第１色光用サブフレームパルス信号Ｒ１〜Ｒ８、Ｂ１〜Ｂ８の少なくとも三つが、第２色光用サブフレームパルス信号Ｇ１〜Ｇ８のいずれか一つに隣接するように、各色光用サブフレームパルス信号を配列するサブフレームパルス信号配列工程と、サブフレームパルス信号配列工程で配列された各色光用サブフレームパルス信号に基づいて、少なくとも第１の反射位置と第２の反射位置とを択一的に選択できる複数の可動ミラー素子を駆動する可動ミラー素子駆動工程と、を含む。【選択図】      図５
2005025160.tif 000002
【特許請求の範囲】
【請求項１】
第１色光の画像信号と、第２色光の画像信号とからなる画像信号に応じて入射光を変調する空間光変調装置の駆動方法であって、
前記第１色光の画像をｎビット（ｎは正の整数）で階調表現するために、１〜ｎビットのそれぞれに対応した重み付けを有するｎ〜２n個の第１色光用サブフレームパルス信号を生成する第１色光用サブフレームパルス信号生成工程と、
前記第２色光の画像をｍビット（ｍは正の整数、ｎ≦ｍ）で階調表現するために、１〜ｍビットのそれぞれに対応した重み付けを有するｍ〜２m個の第２色光用サブフレームパルス信号を生成する第２色光用サブフレームパルス信号生成工程と、
前記画像の少なくとも１フレームの期間中において、前記第１色光用サブフレームパルス信号のうち少なくとも三つが、いずれか一つの前記第２色光用サブフレームパルス信号に隣接するように、前記第１色光用サブフレームパルス信号と前記第２色光用サブフレームパルス信号とを配列するサブフレームパルス信号配列工程と、
前記サブフレームパルス信号配列工程で配列された前記第１色光用サブフレームパルス信号と前記第２色光用サブフレームパルス信号とに基づいて、少なくとも第１の反射位置と第２の反射位置とを択一的に選択できる複数の可動ミラー素子を駆動する可動ミラー素子駆動工程と、
を含むことを特徴とする空間光変調装置の駆動方法。
【請求項２】
前記サブフレームパルス信号配列工程において、前記画像の少なくとも１フレームの期間中に、さらに、前記第１色光用サブフレームパルス信号のそれぞれが、いずれか一つの前記第２色光用サブフレームパルス信号に隣接するように、前記第１色光用サブフレームパルス信号と前記第２色光用サブフレームパルス信号とを配列することを特徴とする請求項１に記載の空間光変調装置の駆動方法。
【請求項３】
前記サブフレームパルス信号配列工程において、前記画像の少なくとも１フレームの期間中に、さらに、最小の前記重み付けから最大の前記重み付けまでのそれぞれについて、前記第１色光用サブフレームパルス信号と前記第２色光用サブフレームパルス信号とが隣接するように前記第１色光用サブフレームパルス信号と前記第２色光用サブフレームパルス信号とを配列することを特徴とする請求項２に記載の空間光変調装置の駆動方法。
【請求項４】
前記サブフレームパルス信号配列工程において配列された、前記第１色光用サブフレームパルス信号と前記第２色光用サブフレームパルス信号とが隣接するような、前記第１色光用サブフレームパルス信号と前記第２色光用サブフレームパルス信号との配列の組合せをサブフレームパルス組合せ信号としたとき、
前記画像の１フレームの期間中に、複数の前記サブフレームパルス組合せ信号が繰り返し設けられていることを特徴とする請求項１〜３のいずれか一項に記載の空間光変調装置の駆動方法。
【請求項５】
前記サブフレームパルス信号配列工程において、前記画像のシーンに対応して、前記第１色光用サブフレームパルス信号と前記第２色光用サブフレームパルス信号との配列のパターンをシーン毎に異ならせることを特徴とする請求項１〜４のいずれか一項に記載の空間光変調装置の駆動方法。
【請求項６】
前記第１色光は、赤色光と青色光とからなり、前記第２色光は、緑色光からなることを特徴とする請求項１〜５のいずれか一項に記載の空間光変調装置の駆動方法。
【請求項７】
前記第１色光の画像を階調表現するためのビット数と、前記第２色光の画像を階調表現するためのビット数とが等しいことを特徴とする請求項１〜６のいずれか一項に記載の空間光変調装置の駆動方法。
【請求項８】
第１色光と第２色光とを供給する光源部と、
第１の反射位置と第２の反射位置とを択一的に選択できる複数の可動ミラー素子を有するティルトミラーデバイスからなり、入射光を画像信号に応じて変調する空間光変調装置と、
前記空間光変調装置で変調された光を投写する投写レンズと、を有するプロジェクタであって、
前記空間光変調装置は、請求項１〜７のいずれか一項に記載の空間光変調装置の駆動方法により駆動されることを特徴とするプロジェクタ。
【請求項９】
前記光源部は、固体発光素子からなり、
前記光源部は、第１色光用サブフレームパルス信号に同期して前記第１色光を供給し、第２色光用サブフレームパルス信号に同期して前記第２色光を供給することを特徴とする請求項８に記載のプロジェクタ。
【発明の詳細な説明】
【技術分野】
【０００１】
本発明は、空間光変調装置の駆動方法及びプロジェクタ、特に、固体発光素子とティルトミラーデバイスとを用いるプロジェクタと、空間光変調装置の駆動方法の技術に関する。
【背景技術】
【０００２】
プロジェクタは、コンピュータ等の画像供給装置から供給された画像信号に応じて光（投写光）を投写し、画像を表示する画像表示装置である。従来、プロジェクタの光源部には、主として超高圧水銀ランプが用いられている。プロジェクタの空間光変調装置には、ティルトミラーデバイスを用いることができる。また、超高圧水銀ランプとティルトミラーデバイスとを組み合わせたプロジェクタには、カラーホイールが用いられている。カラーホイールは、超高圧水銀ランプからの光を、赤色光（以下、「Ｒ光」という。）と、緑色光（以下、「Ｇ光」という。）と、青色光（以下、「Ｂ光」という。）とに分離する。ティルトミラーデバイスは、カラーホイールにより分離された各色光を、画像信号に応じて変調する。ティルトミラーデバイスの例の一つは、テキサス・インスツルメンツ社のディジタルマイクロミラーデバイス（以下、「ＤＭＤ」という。）である。カラーホイールとＤＭＤとを組み合わせた技術としては、例えば、特許文献１に提案されているものがある。
【０００３】
【特許文献１】特開平８−５１６３３号公報
【発明の開示】
【発明が解決しようとする課題】
【０００４】
しかし、超高圧水銀ランプと、ティルトミラーデバイスと、カラーホイールとを用いた従来のプロジェクタは、Ｒ光、Ｇ光、Ｂ光のそれぞれの表示画像が別個の像として認識されてしまう、いわゆるカラーブレイクアップを生じる場合がある。カラーブレイクアップは、特に、輪郭が移動している動画を表示するときや、観察者が表示画像において目視位置を移動させるときに生じる。そして、カラーブレイクアップは、投写像の画質の低下や、画像のちらつきにより観察者の目の疲労を引き起こすことの原因となり得る。
【０００５】
画像表示の周波数をさらに向上させることによりカラーブレイクアップの発生を解消する場合、画像表示の周波数を大幅に向上することを要する。画像表示の周波数を大幅に向上するためには、カラーホイールを回転するためのモータの高性能化、画像信号の量の増大による駆動回路の高性能化が必要となる。モータと駆動回路との高性能化は、プロジェクタの高コスト化を招来することとなる。さらに、画像表示の周波数の向上に、ティルトミラーデバイスの駆動速度が対応しきれないことも考えられる。従って、画像表示の周波数を向上させることのみでは、カラーブレイクアップを低減することは困難である。カラーブレイクアップが生じると、投写像の品質が低下するため問題である。本発明は、上記の問題に鑑みてなされたものであって、カラーブレイクアップを低減し、高品質な投写像を得るための空間光変調装置の駆動方法、及びその空間光変調装置の駆動方法により駆動される空間光変調装置を有するプロジェクタを提供することを目的とする。
【課題を解決するための手段】
【０００６】
上記課題を解決し、目的を達成するために、本発明によれば、第１色光の画像信号と、第２色光の画像信号とからなる画像信号に応じて入射光を変調する空間光変調装置の駆動方法であって、前記第１色光の画像をｎビット（ｎは正の整数）で階調表現するために、１〜ｎビットのそれぞれに対応した重み付けを有するｎ〜２n個の第１色光用サブフレームパルス信号を生成する第１色光用サブフレームパルス信号生成工程と、第２色光の画像をｍビット（ｍは正の整数、ｎ≦ｍ）で階調表現するために、１〜ｍビットのそれぞれに対応した重み付けを有するｍ〜２m個の第２色光用サブフレームパルス信号を生成する第２色光用サブフレームパルス信号生成工程と、画像の少なくとも１フレームの期間中において、第１色光用サブフレームパルス信号のうち少なくとも三つが、いずれか一つの第２色光用サブフレームパルス信号に隣接するように、第１色光用サブフレームパルス信号と第２色光用サブフレームパルス信号とを配列するサブフレームパルス信号配列工程と、サブフレームパルス信号配列工程で配列された第１色光用サブフレームパルス信号と第２色光用サブフレームパルス信号とに基づいて、少なくとも第１の反射位置と第２の反射位置とを択一的に選択できる複数の可動ミラー素子を駆動する可動ミラー素子駆動工程と、を含むことを特徴とする空間光変調装置の駆動方法を提供することができる。
【０００７】
例えば、８ビットで階調表現するために、１〜８ビットのそれぞれに対応する重み付けを有する８つのサブフレームパルス信号を用いるとする。ここで「重み付け」とは、サブフレームパルス信号が継続する期間を表す。サブフレームパルス信号配列工程により、少なくとも三つのビットについての第１色光用サブフレームパルス信号が、いずれか一つのビットについての第２色光用サブフレームパルス信号に隣接するように、第１色光用サブフレームパルス信号と、第２色光用サブフレームパルス信号とを配列する。このようにして第１色光用サブフレームパルス信号と第２色光用サブフレームパルス信号とを配列することにより、１フレーム期間内において、第１色光用サブフレームパルス信号と、第２色光用サブフレームパルス信号とが隣接する組合せを少なくとも一つ増加させることができる。第１色光用サブフレームパルス信号と、第２色光用サブフレームパルス信号とが隣接する組合せを増加させることにより、１フレーム期間中において、第１色光用サブフレームパルス信号と第２色光用サブフレームパルス信号とを切り換えるタイミングを増加させることができる。
【０００８】
また、１〜８ビットのそれぞれに対応する重み付けを有する各サブフレームパルス信号は、さらに分割することもできる。８ビットで階調表現する場合、１ビットの重み付けを有する２５６個のサブフレームパルス信号にまで分割することができる。例えば、８ビットの重み付けを有するサブフレームパルス信号を分割して他の色光用サブフレームパルス信号と隣接させることで、色切り換えの機会をさらに増加することができる。
【０００９】
このようにして各サブフレームパルス信号を配列して、第１色光用サブフレームパルス信号に第１色光、第２色光用サブフレームパルス信号に第２色光を同期して供給する。第１色光用サブフレームパルス信号と、第２色光用サブフレームパルス信号とが隣接する組合せを増やすほど、１フレーム期間内において、第１色光と第２色光とを切り換えるタイミングを多く設けることができる。第１色光と第２色光とを切り換えるタイミングをより多く設けることにより、画像信号の周波数を維持しつつＲ光、Ｇ光、Ｂ光のそれぞれの表示画像が別個の像として認識されることを防止できる。これにより、カラーブレイクアップ低減を可能とし、高品質な投写像を得られる。
【００１０】
なお、必ずしも異なる色光についてのサブフレームパルス信号が隣接する配列である必要は無い。例えば、少なくとも１フレーム期間において、一部のサブフレームパルス信号については、同一の色光についてのサブフレームパルス信号が隣接するように配列しても良い。同一の色光についてのサブフレームパルス信号が隣接しても、色切り換え速度が十分速い場合は、カラーブレイクアップを低減できる。また、色切り換え回数を減少可能であることから、簡易な回路により光源を駆動することができる。略均一の周波数で色切り換えが可能であると、光源の駆動を簡易にできる。これにより、光源の駆動回路を簡易な構成とし、プロジェクタを安価な構成にできる。さらに、各色光についてサブフレームパルス信号の組合せが略同一の重み付けとなるように配列されると、略均一の周波数で色切り換えを行うことが可能となる。これにより、さらに光源の駆動回路を簡易な構成とすることができる。
【００１１】
また、本発明の好ましい態様としては、サブフレームパルス信号配列工程において、画像の少なくとも１フレームの期間中に、さらに、第１色光用サブフレームパルス信号のそれぞれが、いずれか一つの第２色光用サブフレームパルス信号に隣接するように、第１色光用サブフレームパルス信号と第２色光用サブフレームパルス信号とを配列することが望ましい。
【００１２】
このように、第１色光用サブフレームパルス信号のそれぞれを、いずれか一つの第２色光用サブフレームパルス信号に隣接させると、第１色光用サブフレームパルス信号と第２色光用サブフレームパルス信号とが隣接する多数の組合せができる。第１色光用サブフレームパルス信号と第２色光用サブフレームパルス信号とが隣接する多数の組合せを設けることにより、第１色光と、第２色光とを切り換える多数のタイミングを設けることができる。１フレーム期間内において第１色光と第２色光とをより多く切り換えることにより、Ｒ光、Ｇ光、Ｂ光のそれぞれの表示画像が別個の像として認識されることを防止できる。これにより、カラーブレイクアップを低減し、高品質な投写像を得られる。
【００１３】
また、本発明の好ましい態様としては、サブフレームパルス信号配列工程において、画像の少なくとも１フレームの期間中に、さらに、最小の重み付けから最大の重み付けまでのそれぞれについて、第１色光用サブフレームパルス信号と第２色光用サブフレームパルス信号とが隣接するように第１色光用サブフレームパルス信号と第２色光用サブフレームパルス信号とを配列することが望ましい。これにより、カラーブレイクアップを低減し、高品質な投写像を得られる。
【００１４】
また、本発明の好ましい態様としては、サブフレームパルス信号配列工程において配列された、第１色光用サブフレームパルス信号と第２色光用サブフレームパルス信号とが隣接するような、第１色光用サブフレームパルス信号と第２色光用サブフレームパルス信号との配列の組合せをサブフレームパルス組合せ信号としたとき、画像の１フレームの期間中に、複数のサブフレームパルス組合せ信号が繰り返し設けられていることが望ましい。これにより、空間光変調装置の駆動周波数を向上させて、さらにカラーブレイクアップを低減し、高品質な投写像を得られる。
【００１５】
また、本発明の好ましい態様としては、サブフレームパルス信号配列工程において、画像のシーンに対応して、第１色光用サブフレームパルス信号と第２色光用サブフレームパルス信号との配列のパターンをシーン毎に異ならせることが望ましい。第１色光用サブフレームパルス信号と第２色光用サブフレームパルス信号との配列のパターンをシーン毎に異ならせることにより、１フレーム期間中において、第１色光を供給する第１光源と、第２色光を供給する第２光源との、それぞれの点灯タイミングが時系列的に偏ることを防止できる。また、第１色光用サブフレームパルス信号と第２色光用サブフレームパルス信号との配列を、さらに画像のシーンに適したものとすることができる。これにより、投写像のちらつきを低減し、さらに、画像のシーンに適した高品質な投写像を得られる。
【００１６】
また、本発明の好ましい態様としては、第１色光は、赤色光と青色光とからなり、第２色光は、緑色光からなることが望ましい。これにより、フルカラーの投写像のカラーブレイクアップを低減することができる。また、第１色光の画像を階調表現するためのビット数と、第２色光の画像を階調表現するためのビット数とが等しいことが望ましい。第１色光の画像を階調表現するビット数と、第２色光の画像を階調表現するビット数とを等しくすることにより、少なくとも１フレームの期間中において、第１色光用サブフレームパルス信号と、第２色光用サブフレームパルス信号と過不足なく交互に配列することができる。これにより、カラーブレイクアップを低減し、高品質な投写像を得られる。
【００１７】
さらに、本発明によれば、第１色光と第２色光とを供給する光源部と、第１の反射位置と第２の反射位置とを択一的に選択できる複数の可動ミラー素子を有するティルトミラーデバイスからなり、入射光を画像信号に応じて変調する空間光変調装置と、空間光変調装置で変調された光を投写する投写レンズと、を有するプロジェクタであって、空間光変調装置は、上記の空間光変調装置の駆動方法により駆動されることを特徴とするプロジェクタを提供することができる。プロジェクタの空間光変調装置を上記の駆動方法により駆動することにより、カラーブレイクアップを低減し、高品質な投写像のプロジェクタを得られる。
【００１８】
また、本発明の好ましい態様としては、光源部は、固体発光素子からなり、光源部は、第１色光用サブフレームパルス信号に同期して第１色光を供給し、第２色光用サブフレームパルス信号に同期して第２色光を供給することが望ましい。固体発光素子は、点灯と消灯とを高速かつ瞬時に切り換えられることを特徴とする。このため、第１色光用サブフレームパルス信号と、第２色光用サブフレームパルス信号とが交互に配列され、各色光用サブフレームパルス信号が高速に切り換わる場合であっても、サブフレームパルス信号に対応する色光のみを順次点灯させることができる。これにより、各色光の切り換えと、サブフレームパルス信号の切り換えとを正確に同期させることができる。
【発明を実施するための最良の形態】
【００１９】
以下に図面を参照して、本発明の実施例を詳細に説明する。
【実施例１】
【００２０】
まず、図１、図２、図３を参照して、本発明の実施例１に係るプロジェクタの概略を説明する。その後、図４以降を参照して、本発明の特徴的な事項を説明する。図１は、本発明の実施例１に係るプロジェクタ１００の概略構成を示す。プロジェクタ１００は、第１光源部１０１ＲＢと、第２光源部１０１Ｇとを有する。第１光源部１０１ＲＢと、第２光源部１０１Ｇとは、光軸ＡＸに関して略対称な位置に配置されている。
【００２１】
第１光源部１０１ＲＢと第２光源部１０１Ｇとは、それぞれ固体発光素子である発光ダイオード素子（以下、適宜「ＬＥＤ」という。）を有する。第１光源部１０１ＲＢ、第２光源部１０１Ｇのいずれも、複数のＬＥＤを有する。第１光源部１０１ＲＢは、第１色光である赤色光（以下「Ｒ光」という。）を供給するＲ光用ＬＥＤ１０２Ｒと、第１色光である青色光（以下「Ｂ光」という。）を供給するＢ光用ＬＥＤ１０２Ｂとを有する。第２光源部１０１Ｇは、第２色光である緑色光（以下「Ｇ光」という。）を供給するＧ光用ＬＥＤ１０２Ｇを有する。
【００２２】
第１光源部１０１ＲＢと第２光源部１０１Ｇとから供給される光は、それぞれフィールドレンズ１０３を透過した後、空間光変調装置１０４に入射する。フィールドレンズ１０３は、空間光変調装置１０４をテレセントリックに照明する機能、即ち、照明光をできるだけ主光線に平行にして空間光変調装置１０４に入射させる機能を有する。プロジェクタ１００は、第１光源部１０１ＲＢの像と第２光源部１０１Ｇの像とを、投写レンズ１０５の入射瞳の位置に結像する。このため、空間光変調装置１０４は、第１光源部１０１ＲＢと第２光源部１０１Ｇとから供給される光により、ケーラー照明される。
【００２３】
空間光変調装置１０４は、入射光を画像信号に応じて変調する。空間光変調装置１０４には、ティルトミラーデバイスを用いることができる。ティルトミラーデバイスの例の一つは、テキサス・インスツルメンツ社のＤＭＤである。投写レンズ１０５は、空間光変調装置１０４で変調された光をスクリーン１０６に投写する。空間光変調装置１０４は、空間光変調装置１０４の投写レンズ１０５の側の面に、複数の可動ミラー素子（不図示）を有する。可動ミラー素子は、第１の反射位置と第２の反射位置とに択一的に選択して、入射光を投写レンズ１０５の方向と、投写レンズ１０５以外の方向とに反射させる。投写レンズ１０５の方向に進行する光は、スクリーン１０６にて投写像を形成する。
【００２４】
次に、図２−１、図２−２を用いて、Ｒ光用ＬＥＤ１０２Ｒと、Ｇ光用ＬＥＤ１０２Ｇと、Ｂ光用ＬＥＤ１０２Ｂとの、点灯時間と点灯タイミングとについて説明する。Ｒ光、Ｇ光、Ｂ光を順次投写し、全体として白色の投写像を得るためには、Ｇ光の光束量が全体の光束量のうち６０〜８０％であることを要する。各色光用ＬＥＤ１０２Ｒ、１０２Ｇ、１０２Ｂの出力量と数量とが同一である場合、Ｇ光の光束量が不足することとなる。
【００２５】
このため、図２−１に示すように、Ｇ光用ＬＥＤ１０２Ｇの点灯時間ＧＴを、Ｒ光用ＬＥＤ１０２Ｒの点灯時間ＲＴ、及びＢ光用ＬＥＤ１０２Ｂの点灯時間ＢＴのいずれよりも長くする。図２−２は、階調表現時間の調節により、投写像の色調を調整する様子を示す。階調表現時間とは、空間光変調装置１０４が、各色光について画像信号に応じた強度（階調）を実現するために必要な時間期間である。各階調表現時間は、各色光に対応する画像のサブフレームの期間に一致している。
【００２６】
画像の階調をｎビット（ｎは正の整数）で表現する場合、Ｇ光階調表現時間ＧＫの単位ビットの長さとＲ光及びＢ光の階調表現時間ＲＫ、ＢＫの単位ビットの長さとを異ならせることができる。さらに、Ｇ光用ＬＥＤ１０２Ｇの数量を、Ｒ光用ＬＥＤ１０２Ｒの数量、及びＢ光用ＬＥＤ１０２Ｂの数量のいずれよりも多くすることにより、Ｇ光用ＬＥＤ１０２Ｇの点灯時間ＧＴを、Ｒ光用ＬＥＤ１０２Ｒの点灯時間ＲＴ、及びＢ光用ＬＥＤ１０２Ｂの点灯時間ＢＴと同一に、又は短くすることもできる。
【００２７】
また、上述のように、Ｒ光用ＬＥＤ１０２Ｒ及びＢ光用ＬＥＤ１０１Ｂと、Ｇ光用ＬＥＤ１０２Ｇとを、投写レンズ１０５の光軸ＡＸに関して略対称な位置に配置している。Ｇ光用ＬＥＤ１０２Ｇは、Ｒ光用ＬＥＤ１０２Ｒ及びＢ光用ＬＥＤ１０２Ｂから所定の空間的間隔で配置される。このため、Ｇ光用ＬＥＤ１０２Ｇの数量を、Ｒ光用ＬＥＤ１０２Ｒの数量、及びＢ光用ＬＥＤ１０２Ｂの数量のいずれよりも多くすることが容易となる。この結果、簡易な構成で良好なカラーバランスの投写像を得ることができる。
【００２８】
上述のように、空間光変調装置１０４の可動ミラー素子は、入射光を投写レンズ１０５の方向と、投写レンズ１０５以外の方向とに反射させる。また、Ｒ光用ＬＥＤ１０２Ｒ及びＢ光用ＬＥＤ１０１Ｂと、Ｇ光用ＬＥＤ１０２Ｇとを、投写レンズ１０５の光軸ＡＸに関して略対称な位置に配置している。このため、空間光変調装置１０４の可動ミラー素子は、Ｇ光を投写レンズ１０５の方向へ反射させる場合と、Ｒ光及びＢ光を投写レンズ１０５の方向へ反射する場合とにおいて、反射面を逆向きに変換する必要がある。そこで図２−１に示すように、可動ミラー素子の駆動極性は、Ｇ光用ＬＥＤ１０２Ｇの点灯時間ＧＴと、Ｒ光用ＬＥＤ１０２Ｒの点灯時間ＲＴ及びＢ光用ＬＥＤ１０２Ｂの点灯時間ＢＴとで反転させる。これによりフルカラーの像を投写する。
【００２９】
次に、空間光変調装置１０４の可動ミラー素子の駆動について説明する。本実施形態のプロジェクタ１００は、パルス幅変調（Ｐｕｌｓｅ  Ｗｉｄｔｈ  Ｍｏｄｕｌａｔｉｏｎ、以下、「ＰＷＭ」という。）を用いるサブフレーム駆動方式により、画像の階調を表現する。図３−１は、ＰＷＭのサブフレームパルス信号を示す。まず、１つの映像を１６階調（４ビット）で表現する場合を例として説明する。４ビットで階調表現する場合、４ビットのそれぞれに対応した重み付けを有する４つのサブフレームパルス信号Ｐ０（＝２0）、Ｐ１（＝２1）、Ｐ２（＝２2）、Ｐ３（＝２3）を用いる。なお、それぞれのサブフレームパルス信号は、パルス信号の継続時間をそれぞれのビットに対応させることにより、重み付けがなされる。横軸を時間とすると、それぞれのサブフレームパルス信号は、それぞれ図３−１に示すような幅を有する矩形波として表現することができる。
【００３０】
図３−２は、サブフレームパルス信号Ｐ０、Ｐ１、Ｐ２、Ｐ３のタイミングチャート、及び画像信号の例を示す。例えば、図３−２に示すように、フレーム１Ｆの表示期間において画像の階調が１０レベルである場合、サブフレームパルス信号Ｐ１の期間とサブフレームパルス信号Ｐ３の期間とにおいて、光を投写する。この結果、フレーム１Ｆ内で光を投写する時間の積分値が、実際に観察される表示画像の階調となる。フレーム２Ｆにおいて、画像の階調が１０レベルから６レベルへ変化した場合、フレーム１Ｆの場合と同様に、サブフレームパルス信号Ｐ１の期間とサブフレームパルス信号Ｐ２の期間とにおいて、光を投写する。
【００３１】
図４は、従来のプロジェクタにおけるサブフレームパルス信号のタイミングの例を示す。図４に示すタイミングチャートは、横軸を時間ｔとし、また、すべてのサブフレームパルス信号の期間について光を投写するものとして表している。図４に示すタイミングチャートは、赤色の画像と、緑色の画像と、青色の画像とをそれぞれ２５６階調（８ビット）で表現する場合のものを示す。赤色の画像については、８つのサブフレームパルス信号Ｒ１（＝２0）、Ｒ２（＝２1）、…Ｒ７（＝２6）、Ｒ８（＝２7）を用いて階調表現する。緑色の画像については、８つのサブフレームパルス信号Ｇ１（＝２0）、Ｇ２（＝２1）、…Ｇ７（＝２6）、Ｇ８（＝２7）を用いて階調表現する。
【００３２】
青色の画像については、８つのサブフレームパルス信号Ｂ１（＝２0）、Ｂ２（＝２1）、…Ｂ７（＝２6）、Ｂ８（＝２7）を用いて階調表現する。参考のために、図４に、Ｒ光用サブフレームパルス信号の組合せＳＲの部分を拡大して示す。図４に示すように、従来のプロジェクタは、例えば、１／２フレーム期間（図４中、「１／２Ｆ」と示す。）を、赤色を階調表現するＲ光用サブフレームパルス信号の組合せＳＲと、緑色を階調表現するＧ光用サブフレームパルス信号の組合せＳＧと、青色を階調表現するＢ光用サブフレームパルス信号の組合せＳＢとに３分割する。
【００３３】
ここで、従来のプロジェクタは、例えばカラーホイールを用いることにより、超高圧水銀ランプからの光をＲ光と、Ｇ光と、Ｂ光とに時系列的に順次分離する。カラーホイールは、Ｒ光のみを透過するＲ光透過ダイクロイック膜と、Ｇ光のみを透過するＧ光透過ダイクロイック膜と、Ｂ光のみを透過するＢ光透過ダイクロイック膜とを有する。光源部からの光がＲ光透過ダイクロイック膜に照射するとき、Ｒ成分の光のみが透過する。Ｒ光透過ダイクロイック膜を透過したＲ光は、空間光変調装置へ供給される。
【００３４】
このとき、光源部からの光がＲ光透過ダイクロイック膜に照射するタイミングと、Ｒ光用サブフレームパルス信号の組合せＳＲとを同期させる。これにより、カラーホイールから空間光変調装置へＲ光が供給される期間と、Ｒ光用サブフレームパルス信号の組合せＳＲとを同期させることができる。Ｇ光、Ｂ光についてもＲ光の場合と同様に、カラーホイールから空間光変調装置へＧ光が供給される期間とＧ光用サブフレームパルス信号の組合せＳＧ、Ｂ光が供給される期間とＢ光用サブフレームパルス信号の組合せＳＢとは、いずれも同期している。
【００３５】
１フレームの表示時間を１／６０秒とすると、図４に示すタイミングによりＲ光と、Ｇ光と、Ｂ光とを切り換える場合、画像表示の周波数は１２０Ｈｚである。従来の標準的なプロジェクタは、画像表示の周波数を１２０Ｈｚとしている。観察者は、Ｒ光、Ｇ光、Ｂ光のそれぞれの表示画像の残像により、フルカラー像を認識する。しかし、図４に示すタイミングによりＲ光と、Ｇ光と、Ｂ光とを切り換え、画像表示の周波数を１２０Ｈｚとした場合、カラーブレイクアップが生じてしまう場合がある。特に、輪郭が移動している動画を表示するときや、観察者が表示画像において目視位置を移動させるときに、カラーブレイクアップは生じ易くなる。カラーブレイクアップは、投写像の画質の低下や、画像のちらつきにより観察者の目の疲労を引き起こすことの原因となり得る。
【００３６】
図５は、本実施例のプロジェクタ１００におけるサブフレームパルス信号のタイミングチャートを示す。図５に示すタイミングチャートは、横軸を時間ｔとし、また、すべてのサブフレームパルス信号の期間について光を投写するものとして表している。図５に示すタイミングチャートは、図４に示すタイミングチャートと同様、１／２フレーム期間１／２Ｆにおいて、赤色の画像と、緑色の画像と、青色の画像とをそれぞれ２５６階調（８ビット）で表現することを示している。なお、本実施例のプロジェクタ１００の画像表示の周波数は、図４に示す従来のプロジェクタと同様、１２０Ｈｚである。
【００３７】
プロジェクタ１００は、Ｒ光、Ｇ光、Ｂ光の画像をそれぞれ８ビットで階調表現する。このため、第１色光用サブフレームパルス信号生成工程にて、１〜８ビットのそれぞれに対応した重み付けを有する８個のＲ光用サブフレームパルス信号Ｒ１〜Ｒ８と、８個のＢ光用サブフレームパルス信号Ｂ１〜Ｂ８とを生成する。また、第２色光用サブフレームパルス信号生成工程にて、１〜８ビットのそれぞれに対応した重み付けを有する８個のＧ光用サブフレームパルス信号Ｇ１〜Ｇ８を生成する。
【００３８】
そして、プロジェクタ１００は、サブフレームパルス信号配列工程において、Ｒ光用サブフレームパルス信号Ｒ１〜Ｒ８と、Ｇ光用サブフレームパルス信号Ｇ１〜Ｇ８と、Ｂ光用サブフレームパルス信号Ｂ１〜Ｂ８とを配列する。Ｇ光用サブフレームパルス信号Ｇ１は、Ｒ光用サブフレームパルス信号Ｒ１と、Ｂ光用サブフレームパルス信号Ｂ１とに隣接している。同様に、Ｂ光用サブフレームパルス信号Ｂ１は、Ｇ光用サブフレームパルス信号Ｇ１と、Ｒ光用サブフレームパルス信号Ｒ２とに隣接している。
【００３９】
各色光用サブフレームパルス信号Ｒ２〜Ｒ８、Ｇ２〜Ｇ８、Ｂ２〜Ｂ８についても、各色光用サブフレームパルス信号Ｒ１、Ｇ１、Ｂ１と同様にして配列される。参考のため、図５に、サブフレームパルス信号の組合せＳＥの部分を拡大して示す。このように、画像の１／２フレーム期間１／２Ｆにおいて、Ｒ光用サブフレームパルス信号Ｒ１〜Ｒ８と、Ｂ光用サブフレームパルス信号Ｂ１〜Ｂ８とは、最小ビットである１ビットから最大ビットである８ビットまでの全てのビットについて、１ビットから８ビットまでのいずれか一つのビットについてのＧ光用サブフレームパルス信号（Ｇ光用サブフレームパルス信号Ｇ１〜Ｇ８のうちいずれか一つ）と隣接させる。
【００４０】
このようにして、各色光用サブフレームパルス信号Ｒ１〜Ｒ８、Ｇ１〜Ｇ８、Ｂ１〜Ｂ８を配列する。本実施例における各色光用サブフレームパルス信号の配列は、異なる色光用のサブフレームパルス信号どうしをより多く隣接させる点において、各色光用サブフレームパルス信号の組合せＳＲ、ＳＧ、ＳＢに３分割させる従来のプロジェクタの各色光用サブフレームパルス信号の配列と異なる（図４参照）。
【００４１】
図５に示すように、本実施例のサブフレームパルス信号の配列において、１／２フレーム期間１／２Ｆの最初には、１ビットについてのサブフレームパルス信号Ｒ１、Ｇ１、Ｂ１が配列されている。１ビットについてのサブフレームパルス信号Ｒ１、Ｇ１、Ｂ１に続いて、２ビットについてのサブフレームパルス信号Ｒ２、Ｇ２、Ｂ２が配列されている。３ビットから８ビットについてのサブフレームパルス信号Ｒ３〜Ｒ８、Ｇ３〜Ｇ８、Ｂ３〜Ｂ８についても、１ビット、２ビットについてのサブフレームパルス信号Ｒ１、Ｒ２、Ｇ１、Ｇ２、Ｂ１、Ｂ２と同様にして配列されている。
【００４２】
このように、本実施例のプロジェクタ１００は、サブフレームパルス信号配列工程により、１／２フレーム期間１／２Ｆに、１〜８ビットの各ビットについて、Ｒ光用サブフレームパルス信号Ｒ１〜Ｒ８と、Ｇ光用サブフレームパルス信号Ｇ１〜Ｇ８と、Ｂ光用サブフレームパルス信号Ｂ１〜Ｂ８とが隣接するように、サブフレームパルス信号を配置する。また、本実施例のプロジェクタ１００は、Ｒ光、Ｇ光、Ｂ光のいずれの画像も８ビットで階調表現する。各色光の画像のビット数を８ビットとすると、各色光について８個のサブフレームパルス信号を配列することで、各色光用サブフレームパルス信号をいずれも過不足無く交互に配列することができる。
【００４３】
図５に示すように、空間光変調装置１０４は、可動ミラー素子駆動工程により、サブフレームパルス信号配列工程で配列されたＲ光用サブフレームパルス信号と、Ｇ光用サブフレームパルス信号と、Ｂ光用サブフレームパルス信号とに基づいて、可動ミラー素子を駆動する。従来のプロジェクタは、１／２フレーム期間１／２Ｆにおいて、サブフレームパルス信号の色光ごとの切り換わりは、Ｒ光からＧ光への１回と、Ｇ光からＢ光への１回との２回行われる（図４参照）。
【００４４】
これに対し、図５に示すように、本実施例のプロジェクタ１００は、１／２フレーム期間１／２Ｆにおいて、サブフレームパルス信号の色光ごとの切り換わりは、２３（＝８×３−１）回行われる。さらに、サブフレームパルス信号配列工程により配列されたサブフレームパルス信号に同期して、第１光源部１０１ＲＢと第２光源部１０１Ｇとを点灯する。第１光源部１０１ＲＢは、Ｒ光用サブフレームパルス信号Ｒ１〜Ｒ８に同期してＲ光用ＬＥＤ１０２Ｒを、Ｂ光用サブフレームパルス信号Ｂ１〜Ｂ８に同期してＢ光用ＬＥＤ１０２Ｂを、それぞれ点灯する。
【００４５】
また、第２光源部１０１Ｇは、Ｇ光用サブフレームパルス信号Ｇ１〜Ｇ８に同期して、Ｇ光用ＬＥＤ１０２Ｇを点灯する。このようにして、空間光変調装置１０４の駆動速度を向上することなく、１／２フレーム期間１／２Ｆにおいて、Ｒ光と、Ｇ光と、Ｂ光とを切り換えるタイミングをより多く設けることができる。Ｒ光と、Ｇ光と、Ｂ光とを切り換えるタイミングをより多く設けることにより、Ｒ光、Ｇ光、Ｂ光のそれぞれの表示画像が別個の像として認識されることを防止できる。これにより、カラーブレイクアップを低減し、高品質な投写像を得られるという効果を奏する。
【００４６】
なお、上述のように、本実施例のプロジェクタ１００は、全てのビットについてのＲ光用サブフレームパルス信号とＢ光用サブフレームパルス信号とのそれぞれを、Ｇ光用サブフレームパルス信号に隣接させてサブフレームパルス信号を配列している。しかし、サブフレームパルス信号の配列は、これに限られない。例えば、Ｒ光用サブフレームパルス信号のうち少なくとも三つを、Ｇ光用サブフレームパルス信号、及びＢ光用サブフレームパルス信号のいずれか一つのサブフレームパルス信号に隣接させることとしても良い。
【００４７】
例えば、１ビットから７ビットまでについてのサブフレームパルス信号Ｒ１〜Ｒ７、Ｇ１〜Ｇ７、Ｂ１〜Ｂ７については同じ色光用のサブフレームパルス信号どうしを隣接させて配列する。そして、Ｂ光用サブフレームパルス信号Ｂ７に隣接させて、８ビットについての各色光用サブフレームパルス信号を、サブフレームパルス信号Ｒ８、Ｇ８、Ｂ８の順で配列しても良い。このとき、Ｒ光用サブフレームパルス信号Ｒ８は、Ｂ光用サブフレームパルス信号Ｂ７と、Ｇ光用サブフレームパルス信号Ｇ８とに隣接している。また、Ｇ光用サブフレームパルス信号Ｇ８は、Ｒ光用サブフレームパルス信号Ｒ８と、Ｂ光用サブフレームパルス信号Ｂ８とに隣接している。
【００４８】
これにより、Ｂ光用サブフレームパルス信号Ｂ７の期間からＢ光用サブフレームパルス信号Ｂ８の期間において、Ｂ光、Ｒ光、Ｇ光、Ｂ光の順で色光を切り換えるタイミングをより多く設けることができる。このようにして、少なくとも三つのビットについての第１色光用サブフレームパルス信号を、いずれか一つの第２色光用サブフレームパルス信号に隣接させる。Ｒ光と、Ｇ光と、Ｂ光とを切り換えるタイミングをより多く設けることにより、Ｒ光、Ｇ光、Ｂ光のそれぞれの表示画像が別個の像として認識されることを防止できる。これにより、カラーブレイクアップを低減し、高品質な投写像を得られるという効果を奏する。
【００４９】
なお、従来の空間光変調装置の駆動方法は、１フレーム期間を３分割したそれぞれを、各色光のサブフレームパルス信号の組合せとしている。このため、従来の方法では、２つのビットのサブフレームパルス信号が、異なる色光についてのサブフレームパルス信号と隣接している。これに対し、本実施形態の空間光変調装置の駆動方法は、各色光について少なくとも三つのビットについてのサブフレームパルス信号を、異なる色光についてのサブフレームパルス信号と隣接させることとしている。これにより、従来の駆動方法と比較して、異なる色光のサブフレームパルス信号に切り換わるタイミングを少なくとも一つ増加させることができる。
【００５０】
ここで、上述のように、プロジェクタ１００の第１光源部１０１ＲＢと第２光源部１０１Ｇとには、ＬＥＤが用いられている。ＬＥＤは、点灯と消灯とを高速かつ瞬時に切り換えられることを特徴とする。このため、各色光用サブフレームパルス信号が交互に配列され、各色光用サブフレームパルス信号が高速に切り換わる場合であっても、サブフレームパルス信号に対応する色光のみを順次点灯させることができる。
【００５１】
カラーホイールを用いて、本実施例のプロジェクタ１００と同様に、図５に示すタイミングによる階調表現を行う場合を考える。この場合、例えば、図５に示す各色光用サブフレームパルス信号のタイミングと同期させるように、カラーホイールのＲ光ダイクロイック膜と、Ｇ光ダイクロイック膜と、Ｂ光ダイクロイック膜とを設ける。そして、サブフレームパルス信号Ｒ１の期間と、光源からの光がＲ光ダイクロイック膜を透過する期間とを同期させ、サブフレームパルス信号Ｇ１の期間と、光源からの光がＧ光ダイクロイック膜を透過する期間とを同期させる。
【００５２】
ここで、本実施例に示すタイミングでは、Ｒ光と、Ｇ光と、Ｂ光とを高速に切り換えることを要する。特に、図５に示すサブフレームパルス信号の組合せＳＥの期間は、高速かつ正確に、サブフレームパルス信号の切り換えと各色光の切り換えとを同期させる必要がある。カラーホイールについては、特に、サブフレームパルス信号の組合せＳＥの期間にある各サブフレームパルス信号に対して正確に各色光を同期させるように、ダイクロイック膜を施すことが困難である。従って、本実施例のプロジェクタ１００には、カラーホイールと超高圧水銀ランプとに代えて、ＬＥＤを使用する。第１光源部１０１ＲＢと第２光源部１０１ＧとにＬＥＤを用いることにより、各色光の切り換えと、サブフレームパルス信号の切り換えとを正確に同期させることができるという効果を奏する。
【００５３】
なお、本実施例のプロジェクタ１００は、Ｒ光用ＬＥＤ１０２ＲとＢ光用ＬＥＤ１０２Ｂとを第１光源部１０１ＲＢに、Ｇ光用ＬＥＤ１０２Ｇを第２光源部１０１Ｇに配置している。ＬＥＤの配置はこれに限られず、例えば、単独の光源部に各色光用ＬＥＤを配置することとしても良い。単独の光源部を用いる場合、プロジェクタ１００は、光源部からの光を一方向から空間光変調装置１０４に供給する。
【００５４】
図６は、実施例１の変形例であるプロジェクタにおけるサブフレームパルス信号のタイミングチャートを示す。図６に示すサブフレームパルス組合せ信号ＳＡと、図５に示すサブフレームパルス組合せ信号ＳＡとは、各色光用サブフレームパルス信号の配列が同一である。本変形例のプロジェクタは、画像の１／２フレーム期間１／２Ｆに、５つのサブフレームパルス組合せ信号ＳＡが繰り返し配列されている。本変形例のプロジェクタは、画像表示の周波数を、１２０Ｈｚの５倍速の６００Ｈｚとしている。これにより、空間光変調装置の駆動速度を向上させて、さらにカラーブレイクアップを低減し、高品質な投写像を得られるという効果を奏する。
【実施例２】
【００５５】
図７は、本発明の実施例２に係るプロジェクタにおけるサブフレームパルス信号のタイミングチャートを示す。本実施例は、上記実施例１のサブフレームパルス信号の配列に用いられるサブフレームパルス信号Ｒ８、Ｇ８、Ｂ８をさらに２つに分割して並べ替えることを特徴とする。本実施例のタイミングチャートにおいて、サブフレームパルス信号の組合せＳ（１〜４）は、図５におけるサブフレームパルス信号Ｒ１〜Ｒ４、Ｇ１〜Ｇ４、Ｂ１〜Ｂ４と同一の配列である。また、サブフレームパルス信号の組合せＳ５、Ｓ６、Ｓ７も、サブフレームパルス信号Ｒ５〜Ｒ７、Ｇ５〜Ｇ７、Ｂ５〜Ｂ７とそれぞれ同一の配列である。
【００５６】
本実施例の２つのサブフレームパルス信号Ｒ８ａ、Ｒ８ｂは、図５に示すサブフレームパルス信号Ｒ８を２つに分割したものである。サブフレームパルス信号Ｒ８ａ、Ｒ８ｂは、いずれも６４レベルの重み付けを有する（６４＋６４＝２7）。サブフレームパルス信号Ｇ８ａ、Ｇ８ｂ、Ｂ８ａ、Ｂ８ｂも、サブフレームパルス信号Ｇ８、Ｂ８をそれぞれ２つに分割したものである。サブフレームパルス信号Ｇ８ａ、Ｇ８ｂ、Ｂ８ａ、Ｂ８ｂも、いずれも６４レベルの重み付けを有する。このように分割されたサブフレームパルス信号は、それぞれ異なる色光用サブフレームパルス信号と隣接して配列される。分割されたサブフレームパルス信号を他の色光用サブフレームパルス信号と隣接させることで、さらに色切り換えの機会を増加することができる。
【００５７】
また、大きい重み付けのサブフレームパルス信号を分割して並び替えると、単独の色光が投写され続ける時間も分割される。その結果、有効にカラーブレイクアップを低減することができる。これにより、さらにカラーブレイクアップを低減し、高品質な投写像を得られるという効果を奏する。なお、サブフレームパルス信号は２つに分割する場合に限らず、３つ以上に分割しても良い。また、本実施例のように、それぞれ同じ重み付けのサブフレームパルス信号に分割する場合に限らず、異なる重み付けを有するサブフレームパルス信号に分割しても良い。
【００５８】
サブフレームパルス信号は、各ビットに対応する重み付けに限らず、１レベル単位で適宜重み付けを決定して分割することができる。例えば、２7レベルの重み付けを有するサブフレームパルス信号は、３０レベル、９８レベルの２つのサブフレームパルス信号に分割しても良い。分割したサブフレームパルス信号の重み付けは、各色光について同じにする場合に限らず、色光ごとに異ならせても良い。さらに、サブフレームパルス信号の配列は、Ｒ用、Ｇ用、Ｂ用の順序に限らず、いずれの順序であっても良い。
【００５９】
（実施例２の変形例）
図８は、実施例２の変形例に係るプロジェクタにおけるサブフレームパルス信号のタイミングチャートを示す。本変形例は、さらに、上記実施例１の全てのサブフレームパルス信号を、１レベルの重み付けを有するサブフレームパルス信号にまで分割したものである。本変形例のサブフレームパルス信号は、画像表示の周波数が上記実施例１と同じ１２０Ｈｚであるときに分割可能な最小単位である。各色光の画像を８ビットで表現する場合、各色光のサブフレームパルス信号は、１／２フレームにつき２５６個に分割して並べられる。
【００６０】
このように分割されたサブフレームパルス信号をそれぞれ異なる色光用サブフレームパルス信号と隣接して配列すると、色切り換え回数は最大となる。これにより、所定の周波数で画像表示を行う場合に、色切り換え回数を最大にでき、カラーブレイクアップを最大限に低減することができる。さらに色切り換え回数を増加するには、画像表示の周波数を増加することが必要である。本変形例のサブフレームパルス信号は、全てレベル１の重み付けを有することとしているが、色光ごとにサブフレームパルス信号の重みを適宜変更しても良い。これにより、図２−２を用いて説明した単位ビットの長さを変更することと同一の効果が得られ、各色光の光量バランスを調節することができる。
【実施例３】
【００６１】
図９は、本発明の実施例３に係るプロジェクタにおけるサブフレームパルス信号のタイミングチャートを示す。本実施例のサブフレームパルス信号の配列は、上記実施例２のサブフレームパルス信号を並べ替えたものである。本実施例は、一部のサブフレームパルス信号については、同一の色光についてのサブフレームパルス信号が隣接するように配列されることを特徴とする。１／２フレーム期間１／２Ｆにおいて、サブフレームパルス信号Ｒ１〜Ｒ４は、隣接するように配列される。サブフレームパルス信号Ｇ１〜Ｇ４、Ｂ１〜Ｂ４も、それぞれ隣接するように配列される。
【００６２】
本実施例では、８ビットの重み付けを有するサブフレームパルス信号のうち、レベル２3以下の小さい重み付けを有するサブフレームパルス信号が、同一の色光について隣接する。レベル２3以下の重み付けを有するサブフレームパルス信号の組合せは、１５レベルの重み付けに相当する長さを有する。色切り換え速度が十分速ければ、同一の色光についてのサブフレームパルス信号が隣接してもカラーブレイクアップを低減できる。小さい重み付けを有するサブフレームパルス信号については、同一の色光についてのサブフレームパルス信号が隣接しても、同一の色光が投写され続ける時間は短い。同一の色光が投写され続ける時間が短ければ、カラーブレイクアップの発生に及ぼす影響は小さい。同一の色光についてのサブフレームパルス信号が隣接しても、図４に示す従来の配列と比較して、カラーブレイクアップを低減できる。
【００６３】
また、同一の色光についてサブフレームパルス信号を多く隣接させるに従い、色切り換え回数が減少する。このことから、同一の色光についてサブフレームパルス信号を隣接させると、光源の駆動を遅くすることもできる。光源の駆動を遅くできると、簡易な回路により光源を駆動することができる。これにより、光源の駆動回路を簡易な構成とし、プロジェクタを安価な構成にできるという効果を奏する。なお、各ビットに対応する重み付けに限らず、１レベル単位で適宜重み付けを決定可能である点は、上記実施例２と同様である。
【００６４】
（実施例３の変形例）
図１０は、実施例３の変形例に係るプロジェクタにおけるサブフレームパルス信号のタイミングチャートを示す。本変形例は、さらに、サブフレームパルス信号、及び同一の色光についてのサブフレームパルス信号の組合せが、いずれも略同一の重み付けを有することを特徴とする。本変形例では、１／２フレーム期間１／２Ｆにおいて、サブフレームパルス信号Ｒ１〜Ｒ６、Ｇ１〜Ｇ６、Ｂ１〜Ｂ６が、それぞれ隣接するように配列される。レベル２5以下の重み付けを有するサブフレームパルス信号の組合せの全体は、６３レベルの重み付けに相当する長さを有する。
【００６５】
サブフレームパルス信号の組合せＳ７、Ｓ８ａ、Ｓ８ｂは、いずれも６４レベルのサブフレームパルス信号が配列される。従って、本変形例では、サブフレームパルス信号及びサブフレームパルス信号の組合せが、いずれも略同一の重み付けを有する。このようにサブフレームパルス信号を配列すると、サブフレームパルス信号、及び同一の色光についてのサブフレームパルス信号の組合せに対応して、各色光の点灯時間が略同一となる。
【００６６】
各色光の点灯時間が略同一にできると、さらに光源の駆動を簡易にできる。これにより、さらに光源の駆動を簡易な構成とし、プロジェクタをさらに安価な構成にできるという効果を奏する。サブフレームパルス信号は、６４レベルのほか例えば３２レベルのように、ビット数に対応する重み付けを有する場合のほかに、例えば２０レベルのように、ビット数以外の数に対応する重み付けを有することとしても良い。さらに、上記実施例２の変形例と同様に、サブフレームパルス信号が有する重み付けは、色光ごとに変更することとしても良い。
【実施例４】
【００６７】
図１１は、本発明の実施例４に係るプロジェクタにおけるサブフレームパルス信号のタイミングチャートを示す。本実施例のサブフレームパルス信号の配列は、上記実施例１のサブフレームパルス信号を並べ替えたものである。画像の１／２フレーム期間１／２Ｆにおいて、Ｒ光用サブフレームパルス信号Ｒ１〜Ｒ８と、Ｂ光用サブフレームパルス信号Ｂ１〜Ｂ８とは、最小ビットである１ビットから最大ビットである８ビットまでの全てのビットについて、１ビットから８ビットまでのいずれか一つのビットについてのＧ光用サブフレームパルス信号（Ｇ光用サブフレームパルス信号Ｇ１〜Ｇ８のうちいずれか一つ）と隣接している。また、Ｒ光用サブフレームパルス信号と、Ｇ光用サブフレームパルス信号と、Ｂ光用サブフレームパルス信号とが過不足なく交互となっている。
【００６８】
図１１に示すサブフレームパルス信号の配列は、サブフレームパルス信号の配列が規則的でなく、隣接するサブフレームパルス信号がそれぞれ有する重み付けが任意である点が、図５に示すサブフレームパルス信号の配列と異なる。図１１に示すサブフレームパルス信号の配列のように、隣接するサブフレームパルス信号のそれぞれの重み付けが任意であるようなサブフレームパルス信号の配列を、以下、「ランダムなサブフレームパルス信号の配列」という。
【００６９】
ここで、６３レベルの階調の画像を表示する場合を考える。Ｒ光について、サブフレームパルス信号Ｒ１〜Ｒ８を用いて画像の階調を６３レベルとする場合、１／２フレーム期間１／２Ｆにおいて、６つのＲ光用サブフレームパルス信号Ｒ１、Ｒ２、Ｒ３、Ｒ４、Ｒ５、Ｒ６の期間において、Ｒ光を投写レンズ１０５方向に反射し投写する（Ｒ１＋Ｒ２＋Ｒ３＋Ｒ４＋Ｒ５＋Ｒ６＝６３）。Ｇ光、Ｂ光についても、Ｒ光の場合と同様に、サブフレームパルス信号Ｇ１〜Ｇ６、Ｂ１〜Ｂ６の期間において、Ｇ光、Ｂ光を投写する。
【００７０】
また、サブフレームパルス信号Ｒ７、Ｒ８、Ｇ７、Ｇ８、Ｂ７、Ｂ８の期間においては、各色光を投写レンズ１０５以外の方向へ反射させる。このとき、上記実施例１の図５に示すサブフレームパルス信号の配列を用いると、Ｒ光、Ｇ光、Ｂ光が投写される期間は、１／２フレーム期間１／２Ｆの前半のみとなる。また、Ｒ光、Ｇ光、Ｂ光が投写されない期間は、１／２フレーム期間１／２Ｆの後半のみとなる。このように、各色光の投写タイミングは、時系列的に、１／２フレーム期間１／２Ｆの前半に偏ることとなる。このように、各フレームにおいて、各色光の投写タイミングが時系列的に偏っている状態が続くことにより、投写像のちらつきが発生する場合がある。
【００７１】
そこで、図１１に示すようなランダムなサブフレームパルス信号の配列を用いると、例えば６３レベルの階調の画像を表示する場合、各色光についてのサブフレームパルス信号Ｒ１〜Ｒ６、Ｇ１〜Ｇ６、Ｂ１〜Ｂ６のいずれも、異なるビットのサブフレームパルス信号と隣接することとなる。サブフレームパルス信号のいずれもが異なるビットのサブフレームパルス信号と隣接することとなると、サブフレームパルス信号Ｒ１〜Ｒ６、Ｇ１〜Ｇ６、Ｂ１〜Ｂ６は、１／２フレーム期間１／２Ｆの略全体にランダムに分散して配列されることとなる。
【００７２】
このため、１／２フレーム期間１／２Ｆにおいて、各色光の投写タイミングが、時系列的に偏ることを防止できる。上記実施例１の図５に示すサブフレームパルス信号配列を用いる場合、６３レベル以外のレベルの階調の画像を表示する場合であっても、各色光の投写タイミングが時系列的に偏ることがある。ランダムなサブフレームパルス信号の配列を用いることにより、６３レベル以外のレベルの階調の画像を表示する場合にも、６３レベルの階調の画像を表示する場合と同様に、各色光の投写タイミングが時系列的に偏ることを防止できる。
【００７３】
ランダムなサブフレームパルス信号の配列を用いることにより、１／２フレーム期間１／２Ｆにおいて、各色光の投写タイミングの時系列的な偏りを低減することができる。これにより、投写像のちらつきを低減することができるという効果を奏する。ランダムなサブフレームパルス信号の配列における、サブフレームパルス信号Ｒ１〜Ｒ８、Ｇ１〜Ｇ８、Ｂ１〜Ｂ８の時系列的な順序は、図１１に示すものに限らず、適宜変更することができる。また、各１／２フレーム期間１／２Ｆについて、サブフレームパルス信号Ｒ１〜Ｒ８、Ｇ１〜Ｇ８、Ｂ１〜Ｂ８の時系列的な順序を異ならせるようにしても良い。
【００７４】
さらに、ランダムなサブフレームパルス信号の配列を用いることに加え、画像のシーンに対応して、各色光用サブフレームパルス信号Ｒ１〜Ｒ８、Ｇ１〜Ｇ８、Ｂ１〜Ｂ８の配列のパターンを、シーンごとに異ならせることとしても良い。これにより、Ｒ光と、Ｇ光と、Ｂ光との投写タイミングが、時系列的に偏ることを防止するうえ、さらに、画像のシーンに適した配列とすることができる。この結果、投写像のちらつきを低減し、さらに、画像のシーンに適した高品質な投写像を得られるという効果を奏する。
【００７５】
サブフレームパルス信号の配列のパターンは、例えば、画像の明るさに対応して設定することができる。例えば、暗い画像を表示する場合、１フレーム期間において、小さい重み付けのサブフレームパルス信号に対応して光が投写される。このとき、小さい重み付けのサブフレームパルス信号を１フレーム期間内で偏らせず略均一に分布させることで、ちらつきを低減できると考えられる。このように、シーンごとにサブフレームパルス信号のパターンを適宜設定することができる。なお、ランダムなサブフレームパルス信号の配列のうち、階調レベル等に適したものを記憶し、記憶しているランダムなサブフレームパルス信号の配列から画像信号に応じて選択しても良い。
【００７６】
また、本実施例のサブフレームパルス信号は、上記実施例２と同様にして分割したサブフレームパルス信号を、ランダムに配列しても良い。サブフレームパルス信号は、各色光について過不足なく交互に配列する場合に限らず、一部のサブフレームパルス信号については、同一の色光についてのものが隣接することとしても良い。さらに、本実施例においても、各サブフレームパルス信号は、各ビットに対応する重み付けに限られない。各サブフレームパルス信号は、１レベル単位で重み付けを適宜決定することができる。
【００７７】
なお、光源部は、高速な駆動を行い得るものを用いるものであれば、ＬＥＤ等の固体発光素子を用いるものに限られない。例えば、半導体レーザ素子等の固体レーザ素子等を用いることとしても良い。また、本発明に用いられる空間光変調装置は、ＤＭＤに限られない。空間光変調装置は、ＰＷＭを用いるサブフレーム駆動方式によって画像の階調を表現するものであれば、適宜変更可能である。
【産業上の利用可能性】
【００７８】
以上のように、本発明に係る空間光変調装置の制御方法は、プロジェクタにおける空間光変調装置の制御に適している。
【図面の簡単な説明】
【００７９】
【図１】本発明の実施例１に係るプロジェクタの概略構成を示す図。
【図２−１】各色光用ＬＥＤの点灯時間の例を示す図。
【図２−２】各色光用ＬＥＤの点灯タイミングの例を示す図。
【図３−１】パルス幅変調の説明図。
【図３−２】パルス幅変調の説明図。
【図４】従来のプロジェクタのサブフレームパルス信号の例を示す図。
【図５】実施例１のサブフレームパルス信号を示す図。
【図６】実施例１の変形例のサブフレームパルス信号を示す図。
【図７】実施例２のサブフレームパルス信号を示す図。
【図８】実施例２の変形例のサブフレームパルス信号を示す図。
【図９】実施例３のサブフレームパルス信号を示す図。
【図１０】実施例３の変形例のサブフレームパルス信号を示す図。
【図１１】実施例４のサブフレームパルス信号を示す図。
【符号の説明】
【００８０】
１００  プロジェクタ、１０１ＲＢ  第１光源部、１０１Ｇ  第２光源部、１０２Ｒ  Ｒ光用ＬＥＤ、１０２Ｇ  Ｇ光用ＬＥＤ、１０２Ｂ  Ｂ光用ＬＥＤ、１０３  フィールドレンズ、１０４  空間光変調装置、１０５  投写レンズ、１０６  スクリーン、Ｒ１〜Ｒ８，Ｒ８ａ，Ｒ８ｂ  Ｒ光用サブフレームパルス信号、Ｇ１〜Ｇ８，Ｇ８ａ，Ｇ８ｂ  Ｇ光用サブフレームパルス信号、Ｂ１〜Ｂ８，Ｂ８ａ，Ｂ８ｂ  Ｂ光用サブフレームパルス信号、ＳＡ，ＳＥ，ＳＲ，ＳＧ，ＳＢ，Ｓ（１〜４），Ｓ５，Ｓ６，Ｓ７，Ｓ８ａ，Ｓ８ｂ  サブフレームパルス信号の組合せ
【図１】
2005025160.tif 000003
【図２−１】
2005025160.tif 000004
【図２−２】
2005025160.tif 000005
【図３−１】
2005025160.tif 000006
【図３−２】
2005025160.tif 000007
【図４】
2005025160.tif 000008
【図５】
2005025160.tif 000009
【図６】
2005025160.tif 000010
【図７】
2005025160.tif 000011
【図８】
2005025160.tif 000012
【図９】
2005025160.tif 000013
【図１０】
2005025160.tif 000014
【図１１】
2005025160.tif 000015